(57)【要約】      （修正有）【課題】インバータ回路や直流電圧を供給する電源回路において、大きな静電容量を有するコンデンサを有する回路構成とした場合、動作中に前記リレーをオフし交流電源を切り離した後も静電エネルギーが前記制御回路に供給されるため、前記制御回路のマイクロコンピュータが停止するまでに時間を要する。【解決手段】電源入りスイッチがオンしている場合には、前記コンデンサからの放電回路が形成されるとともに前記電流検出回路は前記コンデンサからの放電により通電信号を出力し、前記制御回路は、前記電源回路から供給される電圧が所定値以上である場合には動作可能となり、動作中に前記リレーをオフし、前記交流電源を切り離した後、静電エネルギーが前記制御回路に供給されている期間に、前記電源入りスイッチがオンとなった場合、前記電流検出回路からの通電信号を受け、前記リレーを再びオンするよう構成した。【選択図】図１
2009011360.tif 000002
【特許請求の範囲】
【請求項１】
交流電源と、駆動電流を供給することにより出力接点がオンとなるリレーと、電源入りスイッチを有し前記リレーの出力接点に並列接続した起動回路と、前記リレーをオン・オフさせる制御回路と、コンデンサを有し電動機を駆動するインバータ回路と、前記制御回路に直流電圧を供給する電源回路と、前記コンデンサからの放電電流を検知する電流検知回路を備え、前記リレーがオフであり、また前記電源入りスイッチがオンしている場合には、前記コンデンサからの放電回路が形成されるとともに前記電流検出回路は前記コンデンサからの放電により通電信号を出力し、前記制御回路は、前記電源回路から供給される電圧が所定値以上である場合には動作可能となり、動作中に前記リレーをオフし、前記交流電源を切り離した後、前記コンデンサの静電エネルギーが前記制御回路に供給されている期間に、前記電源入りスイッチがオンとなった場合、前記電流検出回路からの通電信号を受け、前記リレーを再びオンするよう構成した電気洗濯機または電気洗濯乾燥機。
【発明の詳細な説明】
【技術分野】
【０００１】
本発明は、電気洗濯機および電気洗濯乾燥機に関するものである。
【背景技術】
【０００２】
近年、電気洗濯機および電気洗濯乾燥機は省エネルギー対応のために、待機中は駆動電流を供給することにより出力接点がオンとなるリレーによって、直流電圧を供給する電源回路、制御回路または電動機などの負荷と交流電源を遮断する構成となっている。
【０００３】
また、その場合の前記電源回路の起動は、リレー接点と並列接続した電源入りスイッチと起動回路により行われる構成となっており、さらに制御回路は、前記電源回路の出力電圧が前記制御回路のマイクロコンピュータ用の電源電圧がリセット電圧まで上昇し、マイクロコンピュータが起動して、装置全体の起動となる。
【０００４】
また、前記制御回路を停止する場合は、前記電源回路をオフするために、リレーをオフし交流電源を切り離した後、前記電源回路のコンデンサの静電エネルギーを前記制御回路で消費し、マイクロコンピュータ用の電源電圧がリセット電圧以下となった場合、マイクロコンピュータが動作停止して、装置全体の停止する。
【０００５】
装置全体を再度起動させる場合には、マイクロコンピュータを一旦リセットさせる必要があり、そのためにはマイクロコンピュータ用の電源電圧をリセット電圧以下にする必要がある。
【特許文献１】特開２０００−２３４７９号公報
【発明の開示】
【発明が解決しようとする課題】
【０００６】
近年、電気洗濯機および電気洗濯乾燥機において直流電圧を供給する電源回路は、電気洗濯乾燥機の送風用電動機などの負荷の追加や制御回路の複雑化に伴う部品の追加、特にマイクロコンピュータの複数有する制御回路による消費電流増加により、大容量かつ高効率電源としてＭＯＳＦＥＴとＭＯＳＦＥＴをオン・オフさせる機能を有するＩＣとトランスで構成されたスイッチング電源を有する構成となっている。
【０００７】
また、インダクションモータに代わり、より速度制御性に優れ、省エネルギー、また５０Ｈｚと６０Ｈｚというような複数の電源周波数にも対応が可能となる、インバータ装置を有し、電動機を駆動させる構成となっている。
【０００８】
前記スイッチング電源また前記インバータ装置を安定して動作させるために、例えば電解コンデンサなどの大きな静電容量のコンデンサを有する回路構成となってきている。
【０００９】
しかしながら、電動機を駆動するインバータ回路や直流電圧を供給する電源回路において、大きな静電容量を有するコンデンサを有する回路構成とした場合、動作中に前記リレーをオフし交流電源を切り離した後も静電エネルギーが前記制御回路に供給されるため、前記制御回路のマイクロコンピュータが停止するまでに時間を有していた。
【００１０】
また、リレーをオフし交流電源を切り離した後、静電エネルギーが前記制御回路に供給されている期間は電源入りスイッチを受付けず、待ち時間が発生するという問題を有していた。
【００１１】
本発明は上記従来の課題を解決するもので、リレーをオフし交流電源を切り離した後、静電エネルギーが前記制御回路に供給されている期間においても電源入りスイッチを受付け、使い勝手を向上させることを目的としている。
【課題を解決するための手段】
【００１２】
本発明は上記目的を達成するために、前記電源入りスイッチがオンしている場合には、前記コンデンサからの放電回路が形成されるとともに前記電流検出回路は前記コンデンサからの放電により通電信号を出力し、前記制御回路は、前記電源回路から供給される電圧が所定値以上である場合には動作可能となり、動作中に前記リレーをオフし、前記交流電源を切り離した後、静電エネルギーが前記制御回路に供給されている期間に、前記電源入りスイッチがオンとなった場合、前記電流検出回路からの通電信号を受け、前記リレーを再びオンするよう構成したものである。
【発明の効果】
【００１３】
本発明によれば、交流電源と、駆動電流を供給することにより出力接点がオンとなるリレーと、電源入りスイッチを有し前記リレーの出力接点に並列接続した起動回路と、前記リレーをオンオフさせる制御回路と、コンデンサを有し電動機を駆動するインバータ回路と、前記制御回路に直流電圧を供給する電源回路と、前記コンデンサからの放電電流を検知する電流検知回路を備え、前記電源入りスイッチがオンしている場合には、前記コンデンサからの放電回路が形成されるとともに前記電流検出回路は前記コンデンサからの放電により通電信号を出力し、前記制御回路は、前記電源回路から供給される電圧が所定値以上である場合には動作可能となり、動作中に前記リレーをオフし、前記交流電源を切り離した後、静電エネルギーが前記制御回路に供給されている期間に、前記電源入りスイッチがオンとなった場合、前記電流検出回路からの通電信号を受け、前記リレーを再びオンするよう構成したことにより、リレーをオフし交流電源を切り離した後、静電エネルギーが前記制御回路に供給されている期間においても電源入りスイッチを受付け、使い勝手を向上させることができる。
【発明を実施するための最良の形態】
【００１４】
以下、本発明の実施の形態を図を用いて説明する
【実施例１】
【００１５】
図１は、このような洗濯および乾燥を実行する電気洗濯機を縦断した状態で側面を示す模式図であり、１は、外郭を構成する四角筒状の外枠である。２は、内槽を構成する洗濯兼脱水槽であり、その外周壁に通水および通風のための複数の小さな貫通穴２ａを有し、その底壁に通水および通風のための複数の貫通穴２ｂを有し、その上縁部に流体バランサー３を備え、底部の内側には回転自在に脈動翼盤４を回転可能に設置する。
前記脈動翼盤４は、図２〜図５に示すように、その上面に、洗濯兼脱水槽２の底部に位置して回転することによって該洗濯兼脱水槽２内に投入されて脈動翼盤４上に乗っている洗濯物に上向きの分力を繰り返し作用させる押し洗い力を発生するように回転方向になだらかに傾斜した複数の傾斜面を形成する隆起部４ａと、多数の水抜き貫通穴４ｂを備える。隆起部４ａは、回転方向に山形に傾斜し、且つ外周部位が順次に高くなるように径方向に傾斜し、更に、外周端面４ｃは上部を中心側に倒すように傾斜させた傾斜面とする。この実施例における脈動翼盤４は、約５２０ｍｍの内径寸法の洗濯兼脱水槽２に対して、外径寸法を約４７０ｍｍの大きさに構成した。このような大きさの脈動翼盤４は、隆起部４ａの最高部の高は６５〜７０ｍｍとすることが望ましく、この隆起部４ａを形成する回転方向のなだらかな傾斜面の最大傾斜角度θ１は水平面に対して２０〜３０度とすることが望ましく、径方向の傾斜角度θ２は、水平面に対して１０〜２０度とすることが望ましく、前記外周端面４ｃの傾斜角度θ３は、垂直面に対して７〜１５度とすることが望ましい。また、洗濯水を通過させる貫通穴４ｂは、隆起部４ａにおける頂上部分の領域を除く領域に分散させて設ける。
【００１６】
脈動翼盤４が回転すると、この脈動翼盤４上の洗濯物は、脈動翼盤４上を滑りながら該脈動翼盤４の回転方向に回転すると共に隆起部４ａに押されて上下方向に振動する。この滑りによって洗濯物と脈動翼盤４の間に水膜が形成される。水膜の厚さは、洗濯物から脈動翼盤４に作用する回転負荷トルクに影響し、水膜の薄いほど回転負荷トルクが増加する。水膜の厚さは、貫通穴４ｂの数が多いほど薄くなる。一方、洗濯物を上方向に押し上げる力は、隆起部４ａの頂上部領域で最大となることから、この部分り水膜の厚さの大小が脈動翼盤４に作用する回転負荷トルクに大きく影響する。すなわち、この実施例のように、隆起部４ａの頂上部領域に貫通穴４ｂがない形態では該頂上部領域に厚い水膜が形成されることから、洗濯物から脈動翼盤４に作用する回転負荷トルクが軽減する。また、脈動翼盤４と洗濯物の直接の摺動が起きにくいことから洗濯物の傷みの発生も軽減する。
【００１７】
このような形態の脈動翼盤４は、詳しくは後述するが、回転することによって脈動翼盤４上の洗濯物に対して上向きの適度の分力を繰り返し作用させ、また、隆起部４ａと洗濯兼脱水槽２の内周面の間およびリフター（後述する）との間に洗濯物が噛み込んで脈動翼盤４が回転不能（ロック）になってしまうのを防止するのに好適である。
【００１８】
前記洗濯兼脱水槽２は、その内周壁面の底部に該内周壁面の近くに寄ってきた洗濯物に上向きの力を作用させて該洗濯物の偏りと布絡みを防止するためのリフター５を備える。このリフター５は、図６および図７に詳しく示すように、前記脈動翼盤４と対向する高さに位置して内周壁面から内側に円弧状に突出する膨出部５ａの上面によって形成されて該内周壁面に沿って周方向に順次に高くなるように傾斜して伸びる山形の傾斜面５ｂと、周方向における前記傾斜面５ｂの頂上部分から前記内周壁面の内側に膨出する形態で該内周壁面に沿って縦方向（上向き）に伸びる突条５ｃを備える。前記傾斜面５ｂは、前記脈動翼盤４における隆起部４ａを形成する回転方向になだらかな傾斜面の高さおよび傾斜角度と同様な高さおよび傾きとする。また、前記突条５ｃの膨出高さ（厚み）は、リフター５の膨出部５ａと略同一の高さとし、１０〜１５ｍｍであることが望ましい。この突条５ｃの膨出高さが過大になると、洗濯工程において脈動翼盤４の回転に伴う洗濯物の周方向の動きを抑制する作用が過大になって洗浄に悪影響を及ぼすようになる。このリフター５は、樹脂成型によって一体的に構成して取り付ける。
【００１９】
また、前記脈動翼盤４の隆起部４ａの頂上部の外端縁と前記リフター５の傾斜面５ｂの頂上部分が対向したときの両者の対向縁の間には、約２５ｍｍ以上の間隙ｇ１を確保することができる構成であることが望ましい。更に、脈動翼盤４の隆起部４ａの頂上部の外端縁と洗濯兼脱水槽２の内面の間隙ｇ２は、３０ｍｍ以上を確保することができるように構成することが望ましい。
【００２０】
これらの値は、洗濯物に対する洗濯や乾燥の効率を高めると共に洗濯物の噛み込みを防止するのに好適である。すなわち、脈動翼盤４の隆起部４ａの頂上部が外側に位置する方が洗濯物の動きを大きくすることができて洗濯や乾燥に有利であるが、脈動翼盤４とリフター５および洗濯兼脱水槽２との隙間が小さくなって洗濯物が噛み込み易くなる。
【００２１】
図８は、洗濯兼脱水槽２内における脈動翼盤４とリフター５の対向関係を洗濯兼脱水槽２を透視して示す斜視図である。この実施例では、脈動翼盤４に１８０度の間隔で２つの隆起部を設け、洗濯兼脱水槽２の外周壁内面にも１８０度の間隔で２つのリフター５を設置しているが、この図８では、一方のリフターの図示を省略している。
【００２２】
このように構成したリフター５は、洗濯工程においては、洗い水または濯ぎ水が降り掛けられて湿潤した洗濯物が脈動翼盤４上に直に乗った状態で該脈動翼盤４と共に回転しながら遠心力によって洗濯兼脱水槽２の内周壁面に押し付けられるように移動すると、リフター５の傾斜面５ｂによって洗濯物に上向きの力が作用し、更に、突条５ｃによって回転が抑制されて脈動翼盤４の中心側方向に移動することから、洗濯物が洗濯兼脱水槽２の内周壁面近くに偏った状態となって脈動翼盤４の隆起部４ａから該洗濯物に作用する上向きの分力が減少して洗浄効率が低下するような現象が軽減し、また、洗濯物の布絡みも軽減する。
【００２３】
また、乾燥工程のほか温風を洗濯物に吹き付ける場合においては、脈動翼盤４とリフター５は、リフター５の傾斜面５ｂによって洗濯物の上方向の動きを促進し、循環空気と洗濯物の接触を良くして乾燥効率を高めるように作用する。さらに突条５ｃによって洗濯物の回転方向（円周方向）の動きを抑制して洗濯物の入れ替わりを促進することにより、さらに循環空気と洗濯物の接触を良くして乾燥効率を高めるように作用する。
【００２４】
６は、前記洗濯兼脱水槽２を内包する外槽であり、その底部の外側には鋼板製の取り付けベース７を介して洗濯脱水駆動装置８を取り付ける。この外槽６は、図示説明は省略するが、外枠１の上端部の四隅部に設けた隅板に係止して垂下させた４本の支持棒に緩衝装置を介して該外槽６の四方位を係合させて均等に支持することにより該外枠１の中心部に懸垂する。
【００２５】
前記洗濯脱水駆動装置８は、インバータ駆動電動機または可逆回転型のコンデンサ分相単相誘導電動機を使用した洗濯脱水駆動電動機と電磁操作クラッチ機構と遊星歯車減速機構を内蔵し、洗濯脱水駆動電動機と電磁操作クラッチ機構を制御することによって、洗濯兼脱水槽２を静止させるように係止または自由に回転できるように解放した状態で脈動翼盤４を繰り返し正逆回転させる洗濯駆動モードと、洗濯兼脱水槽２と脈動翼盤４を一体的に同一方向に回転させる脱水駆動モードを選択的に実行する駆動機能を有する。
【００２６】
外側衣類投入口９ａを形成した上カバー９は、外枠１の上部開口を覆うように該上部開口端縁に嵌め込んで取り付けねじによって外枠１に固定するように取り付ける。この上カバー９は、必要に応じて、複数の部材を組み合わせて構成する。上カバー９に形成した前記外側衣類投入口９ａは、基部ヒンジ１０によって上カバー９に取り付けた外蓋１１によって開閉自在に覆う。
【００２７】
外蓋１１は、図１及び図９に示すように、基部ヒンジ１０によって上カバー９に起伏自在に取り付ける後半部１１ａと該後半部１１ａの前縁に中間ヒンジ１１ｂによって屈伸可能に結合した前半部１１ｃによって構成する。
【００２８】
操作表示パネル部１２は、外蓋１１の前半部１１ｃの上面に位置させて主として該外蓋１１を閉じた状態で操作される指示入力ボタンスイッチ１２ａと表示パネル１２ｂを実装し、パネル制御回路基板を内部に位置させて実装する。また、この操作表示パネル部１２は、表示パネル１２ｂを外蓋１１の前記取っ手部１１ｄの前側に連なるように位置させ、前記指示入力ボタンスイッチ１２ａを前記表示パネル１２ｂの前側に連なるように位置させて該指示入力ボタンスイッチ１２ａが取っ手部１１ｄから遠く離れるように配列するとこによって、取っ手部１１ｄを手で掴んで外蓋１１を開閉駆動操作するときに該手が指示入力ボタンスイッチ１２ａに触れ難くなるように構成する。
【００２９】
また、上カバー９における段差面９ｂの左側の前縁部分には、粉末洗剤を投入する洗剤投入器１３を設置し、スイッチ実装面９ｃには、押しボタン式の電源スイッチ１４と洗剤量検出指示スイッチ１５を実装する。
【００３０】
給水電磁弁からの給水を洗剤投入器１３に供給し、図１に示すように、洗剤導入口１３１ａから蛇腹管１６を介在させた洗剤導入管１７を介して外槽６内に導入する。
【００３１】
そして、粉末洗剤投入空間部１３ｂと仕上げ剤投入空間部１３ｃは、図１０に示すように、それぞれ、洗剤給水管１３３と仕上げ剤給水管１３によって後述する給水機構４８における洗剤給水電磁弁４８ａと仕上げ剤給水電磁弁４８ｂに接続する。
【００３２】
洗濯兼脱水槽２を内包した外槽６の上側開口端には、内側衣類投入口２１ａを備えた外槽上カバー２１を取り付けることによって外槽６と洗濯兼脱水槽２の間の間隙を覆う。外槽上カバー２１に形成した内側衣類投入口２１ａは、ヒンジ２２によって外槽上カバー２１に取り付けた内蓋２３によって開閉自在に覆うように構成する。
【００３３】
外槽上カバー２１には、洗濯兼脱水槽２内に向けて開口するように噴気口２４を貫通させて取り付け、散水口２５を洗濯兼脱水槽２の底部の回転中心を含む中央部を指向するように設け、洗濯兼脱水槽２と外槽６の間の間隙に向けて開口するように前記洗剤投入管１７を貫通させ、洗濯給水電磁弁４８ｃからの給水管２６の吐出口２６ａを洗濯兼脱水槽２の奥側内壁を指向するように設ける。
【００３４】
内蓋２３は、その内側に散水管２６を備える。この散水管２６は、内蓋２３を閉じた状態で、先端の散水口２６ａを洗濯兼脱水槽２の略中心部の上方に下向きに開口させて洗濯水を洗濯兼脱水槽２内に広く降り掛けるように構成し、基端の受水口２６ｂを前記給水口２５に当接して受水するように構成する。
【００３５】
また、外槽６は、その下部の側壁に水位検出のためのエアトラップ６ａを形成し、エアチューブ２７を介して水位検出手段である感圧式の水位検出センサ２８に接続し、底部には排水兼排気口６ｂを設ける。
【００３６】
前記排水兼排気口６ｂは、蛇腹管２９と内部配管３０を介して排水電磁弁３１と電動駆動の洗濯水循環ポンプ３２の各入水口に接続する。この排水電磁弁３１と洗濯水循環ポンプ３２は、外枠１に関連した固定部材に設置し、排水電磁弁３１の出水口は、外部排水ホース３３に接続し、洗濯水循環ポンプ３２の出水口は、内部配管３４と蛇腹管３５と内部配管３６を介して散水口２５に接続する。前記内部配管３６の途中には、糸屑フィルタ３７を着脱可能に設置する。
【００３７】
ここで、前記排水兼排気口６ｂと蛇腹管２９と内部配管３０と洗濯水循環ポンプ３２と内部配管３４，３６と蛇腹管３５と散水口２５は、洗濯水循環機構を構成する。
【００３８】
前述のように、散水口２５を洗濯兼脱水槽２の底部の回転中心を含む中央部を指向するように設け、洗濯給水電磁弁４８ｃからの給水管２６の吐出口２６ａを洗濯兼脱水槽２の奥側内壁を指向するように設けることにより、洗い動作中の洗濯物に対しては洗い水を洗濯兼脱水槽２の中央部に散水することによって十分に供給することができ、濯ぎ動作直前の脱水工程によって洗濯兼脱水槽２の内壁に貼りついた洗濯物に十分な濯ぎ水を供給することができる。濯ぎ動作の進行によって洗濯兼脱水槽２の内壁から剥がれ落ちた洗濯物は、洗濯兼脱水槽２内で入れ替わりながら洗濯兼脱水槽２の奥側内壁を指向する吐出口２６ａから十分な濯ぎ水の供給を受ける。
【００３９】
外枠１の後側面の内側には、水冷除湿機構３８を設置する。この水冷除湿機構３８の基本的な構成は、既に知られているように、外槽６内の湿潤した空気を排水兼排気口６ｂから吸い出し、水冷除湿した後に加熱することによって相対湿度を低下させて洗濯兼脱水槽２の上方から該洗濯兼脱水槽２内に吹き込むように構成する乾燥空気循環系の一部を構成する。
【００４０】
水冷除湿機構３８は、蛇腹管３９を介して前記排水兼排気口６ｂに接続された水冷除湿風路４０を備え、この水冷除湿風路４０内には上端部に冷却水流出管４１ａを備えた水冷除湿板４１を設置し、途中に糸屑フィルタ４２と電動送風機４３を設ける。水冷除湿風路４０は、蛇腹管３９から上方に向けて伸びるように設けた上昇風路４０ａ内に前記水冷除湿板４１を設置する。そして、上昇風路４０ａの上端部から折り返して下方に向けて伸びる下降風路（図示省略）を設け、この折り返し部に前記糸屑フィルタ４２を着脱可能に設置する。下降風路内には該下降風路内を流れる空気の湿度に感応する湿度検出センサを設置する。この下降風路の下端部に前記電動送風機４３の吸気口を接続し、この電動送風機４３の排気口から上方に向けて伸びる上昇風路（図示省略）を設ける。
【００４１】
上昇風路の先は、空気加熱管４４と蛇腹管４５を介して前記噴気口２４に接続し、前記空気加熱管４４内には循環空気を加熱する電熱ヒータであるＰＴＣヒータ４６を内装する。
【００４２】
上カバー９の後部には、後部収納部９ｅを形成し、この後部収納部９ｅ内に前記水位検出センサ２８を設置し、更に、水道からの受水口４７や風呂水（残り湯）吸水ポンプ（図示省略）や前記洗剤投入器１３や吐出口２６ａや前記水冷除湿機構３８における水冷除湿板４１の冷却水流出管４１ａへの給水を制御する電磁弁やポンプなどの給水機構４８を内蔵する。給水機構４８からの給水は、給水ボックス６０を通り、洗剤投入器１３へは洗剤給水管１３３、１３４を、水冷除湿機構３８へは冷却水流出管４１ａを介して行うように構成する。
【００４３】
この電気洗濯機の制御装置を構成する制御系は、図１に示すように、操作表示パネル部１２に設けた指示入力ボタンスイッチ１２ａは、各種の洗濯コースを設定するコース設定スイッチやスタートを指示するスタートスイッチなどのスイッチ群を備え、表示パネル１２ｂは、設定された洗濯コースの表示と各工程（処理）の進行状態や検出した洗剤量を表示する。
【００４４】
コントローラ４９は、マイクロコンピュータ４９ａと負荷駆動回路４９ｂと内部電源回路４９ｃと電源自己保持リレー４９ｄを備え、電源スイッチ１４が投入されると、内部電源回路４９ｃが機能し、マイクロコンピュータ４９ａが起動して制御処理プログラムを実行することによって負荷駆動回路４９ｂと電源自己保持リレー４９ｄと表示パネル１２ｂを制御するように構成する。このコントローラ４９は、上カバー９内に設けた空間または外枠１内に設けた空間に実装する。
【００４５】
そして、コントローラ４９におけるマイクロコンピュータ４９ａは、操作表示パネル部１２に実装した指示入力ボタンスイッチ１２ａと洗剤量検出指示スイッチ１５と水位検出センサ２８と湿度検出センサ５０と外蓋全閉検出センサ５１に接続してこれらからの信号を入力し、負荷駆動回路４９ｂは、前記洗濯脱水駆動装置８における洗濯脱水駆動電動機８ａと電磁操作クラッチ機構８ｂと、前記排水電磁弁３１，洗濯水循環ポンプ３２，電動送風機４３，ＰＴＣヒータ４６と、前記給水機構４８における洗剤給水電磁弁４８ａと仕上げ剤給水電磁弁４８ｂと洗濯給水電磁弁４８ｃと風呂水吸水ポンプ４８ｄと冷却給水電磁弁４８ｅを接続してこれらへの給電を制御する。
【００４６】
図示説明は省略するが、この実施例における洗濯脱水駆動電動機８ａは、インバータ駆動電動機であって、負荷駆動回路４９ｂは、電源電圧を約２８０Ｖに昇圧した直流電圧を生成する倍電圧整流機能と、洗濯脱水駆動電動機８ａに印加する交流電圧を発生するインバータ機能と、交流電圧波形内をパルス状に細断してパルス幅制御することによって洗濯脱水駆動電動機８ａに印加する交流電圧の実効値を制御する実効値制御機能を備える。
【００４７】
前記マイクロコンピュータ９４は、電源スイッチ１４が押されて電源が投入されると起動し、図１および図２に示すような洗濯および乾燥の基本的な制御処理プログラムを実行するように構成する。
【００４８】
次に本発明における制御回路構成について説明する。一般家庭用の交流電源７０は、入スイッチ８３を押下することによって、整流用のダイオード８２を介して平滑用のコンデンサ８４に接続され電源の起動回路７４を構成している。起動回路からの出力はダイオード８５を介してトランス８７へ入力され電源ＩＣ８６へ接続し、電源ＩＣ８６が動作開始する。電源ＩＣ８６動作によるトランス８７からの出力はダイオード８８を介して平滑用のコンデンサ８９にて平滑され電源ＩＣ９０に接続される。電源ＩＣ９０からの出力は平滑コンデンサ９１によって平滑され制御部７６のマイクロコンピュータ９４に入力される。電源回路７５からの入力によりマイクロコンピュータが起動し、リレー７２をオンさせて、装置全体の起動が完了する。
【００４９】
また、交流電源７０は、前述にてオンしたリレー７２を介して整流用のダイオードブリッジ７７に接続され、さらに、このダイオードブリッジ３２には、その出力を平滑するための平滑用コンデンサ９２ａ及び９２ｂが接続され、これによって直流電源回路を構成している。この直流電源回路には、６個のＩＧＢＴ９３ａ、９３ｂ、９３ｃ、９３ｄ、９３ｅ、９３ｆを中心に構成されたインバータ回路部９３が接続され、その出力である８ａ、８ｂ、８ｃには、三相誘導モータにからなる洗濯機のメインモータ７が接続されていて、マイクロコンピュータや複数の電子部品等によって構成される運転制御部７６からの信号が、前記インバータ回路部９３へ伝えられ、メインモータ８の各相に接続された８ａ、８ｂ、８ｃへの通断電を行うことによって、メインモータ８の回転駆動を制御するようになっている。
【００５０】
使用者が洗濯乾燥機の電源を切る場合は、マイクロコンピュータ９４によってリレー７２がオフされ制御回路は商用電源から遮断される。リレー７２のオフにより電源回路７５への商用電源７０からの供給が無くなるが、制御回路中のコンデンサ９２ａ、９２ｂ、８４からの静電エネルギーが供給されるため、コンデンサの静電エネルギーがマイクロコンピュータ９４や複数の電子部品等により消費尽くされるまでは電源回路は動作を継続する構成となっている。コンデンサの静電エネルギーが無くなり、マイクロコンピュータ９４が停止し、装置全体の停止となる。
【００５１】
使用者が洗濯乾燥機の電源を切り、マイクロコンピュータ９４によってリレー７２がオフされた直後に電源入スイッチ８３を押下した場合は、商用電源７０が電源入スイッチ８３と電源回路７５のトランス８７と電源ＩＣ８６を介して制御回路中のグランドラインに接続される。制御回路中のグランドラインはコンデンサ９２ｂに接続されているため、コンデンサ９２ｂからは静電エネルギーが放電され放電電流が出力される。放電電流は放電電流検出回路７３とヒューズ抵抗７１を介して商用電源に接続されることから、入スイッチを押下している間は、コンデンサ９２ｂの静電エネルギーが放電される回路が形成されることになる。前記放電電流を放電電流検出回路７３にて検出することで電源入スイッチ８３の押下を検出可能としている。
【００５２】
次に本発明における実施例のフローチャートを図３に示す。まず、使用者がステップＳ１にて電源入りスイッチをオンすることによって、次のステップＳ２にてリレーをオンし、ステップＳ３のイニシャル状態となる。このとき使用者が切スイッチを押下（ステップＳ４）した場合には、リレーをオフ（ステップＳ５）して、次のステップ６にて入スイッチのスキャンを行う。このときステップＳ７にて入スイッチの押下が検出された場合は、ステップＳ２に戻り、リレーをオンしてステップＳ３のイニシャル状態となる。ステップＳ７にて入スイッチが押下されなかった場合は、ステップＳ８の電源オフに至る。
【００５３】
また、ステップＳ９にて工程開始した以降に、切スイッチを押下（ステップＳ１０）した場合も、リレーをオフ（ステップＳ５）して、次のステップ６にて入スイッチのスキャンを行う。このときステップＳ７にて入スイッチの押下が検出された場合は、ステップＳ２に戻り、リレーをオンしてステップＳ３のイニシャル状態となる。
以上のような本実施例によれば、使用者が洗濯機の電源をオフした直後に電源を再投入したい場合においても、使用者に待ち時間を与えることなく入スイッチを操作することが可能となる。
【図面の簡単な説明】
【００５４】
【図１】本発明の一実施例にかかわる洗濯乾燥機の縦断面図である。
【図２】同洗濯乾燥機の制御回路構成図である。
【図３】同洗濯乾燥機のリレーオフ後に電源入スイッチを操作した場合のタイミングチャートである。
【符号の説明】
【００５５】
２…洗濯兼脱水槽、８…メインモータ、７０…商用電源、７３…放電電流検出回路、
７４…起動回路、７５…電源回路、７６…制御部。
【図１】
2009011360.tif 000003
【図２】
2009011360.tif 000004
【図３】
2009011360.tif 000005